(57)【要約】【課題】耐震性に優れ、遺骨の出し入れが容易であり、作業性が良好であって、防埃性に優れた墓構造を提供する。【解決手段】断面略逆Ｕ字状からなり側壁と上壁を構成する石板と、前記断面略逆Ｕ字状の石板の内壁に沿う形状からなり前壁を構成する前壁石板と、前壁石板と同形状からなり後壁を構成する後壁石板からなる墓構造であって、前記断面略逆Ｕ字状の石板をトンネル状に立設し、前記トンネル状に立設された石板の開口を塞ぐように前壁石板と後壁石板とを対向させて立設して成り、前壁石板と後壁石板との間に納骨室を形成し、後壁石板に納骨室に繋がる開口扉を設置すると共に、前記トンネル状に立設された石板の前端が前壁石板よりも前方に突出した前庇部を形成し、前記トンネル状に立設された石板の後端が後壁石板より後方に突出した後庇部を形成したことを特徴とする墓構造。【選択図】図１
0003121925.tif 000002
【実用新案登録請求の範囲】
【請求項１】
側壁を構成する一対の側壁石板と、上壁を構成する上壁石板と、前壁を構成する前壁石板と、後壁を構成する後壁石板からなる墓構造であって、一対の側壁石板を左右方向に対向させて立設すると共に、一対の側壁石板の間に前壁石板と後壁石板とを前後方向に対向するように立設し、一対の側壁石板を連結するように上壁石板を形成して成り、前壁石板と後壁石板との間に納骨室を形成し、後壁石板に納骨室に繋がる開口扉を設置すると共に、上壁石板の前端が前壁石板よりも前方に突出した前庇部を形成し、上壁石板の後端が後壁石板より後前方に突出した後庇部を形成したことを特徴とする墓構造。
【請求項２】
断面略逆Ｕ字状からなり側壁と上壁を構成する石板と、前記断面略逆Ｕ字状の石板の内壁に沿う形状からなり前壁を構成する前壁石板と、前壁石板と同形状からなり後壁を構成する後壁石板からなる墓構造であって、前記断面略逆Ｕ字状の石板をトンネル状に立設し、前記トンネル状に立設された石板の開口を塞ぐように前壁石板と後壁石板とを対向させて立設して成り、前壁石板と後壁石板との間に納骨室を形成し、後壁石板に納骨室に繋がる開口扉を設置すると共に、前記トンネル状に立設された石板の前端が前壁石板よりも前方に突出した前庇部を形成し、前記トンネル状に立設された石板の後端が後壁石板より後方に突出した後庇部を形成したことを特徴とする墓構造。
【考案の詳細な説明】
【技術分野】
【０００１】
本考案は、耐震性、作業性および防汚性に優れた墓構造に関する。
【背景技術】
【０００２】
従来の墓は、地面に扁平な芝台を設置した上に、横長四角柱からなる中台と上台とを積み重ね、さらに縦長四角柱からなる棹石を積み重ねて成る。また、従来の墓は、箱型の納骨室が芝台下方の地中に埋め込まれる。
【考案の開示】
【考案が解決しようとする課題】
【０００３】
この従来の墓は、通常、中台、上台、棹石と上方に積み重ねた順番に底面積が小さくなり、しかも頂上に位置する棹石は底面積が小さく縦長形状であるから、耐震性に不安がある。
【０００４】
また、従来の墓は、地中に納骨室を有しているので、納骨の出し入れ作業が煩雑である。また、雨水がたまり易く、納骨室の環境として好ましいものではなかった。
【０００５】
また、従来の墓は、棹石の正面に家名や家紋などを彫り込んでいるが、その凹部に埃などがたまりやすく、防汚性に不安がある。
【課題を解決するための手段】
【０００６】
そこで、本考案は、耐震性、作業性及び防汚性を可及的に向上させるべく創作されたものであり、次のような手段を講じた。
【０００７】
本考案は、側壁を構成する一対の側壁石板と、上壁を構成する上壁石板と、前壁を構成する前壁石板と、後壁を構成する後壁石板からなる墓構造であって、一対の側壁石板を左右方向に対向させて立設すると共に、一対の側壁石板の間に前壁石板と後壁石板とを前後方向に対向するように立設し、一対の側壁石板を連結するように上壁石板を形成して成り、前壁石板と後壁石板との間に納骨室を形成し、後壁石板に納骨室に繋がる開口扉を設置すると共に、上壁石板の前端が前壁石板よりも前方に突出した前庇部を形成し、上壁石板の後端が後壁石板より後前方に突出した後庇部を形成したことを特徴とする墓構造である。
【０００８】
また、本考案は、断面略逆Ｕ字状からなり側壁と上壁を構成する石板と、前記断面略逆Ｕ字状の石板の内壁に沿う形状からなり前壁を構成する前壁石板と、前壁石板と同形状からなり後壁を構成する後壁石板からなる墓構造であって、前記断面略逆Ｕ字状の石板をトンネル状に立設し、前記トンネル状に立設された石板の開口を塞ぐように前壁石板と後壁石板とを対向させて立設して成り、前壁石板と後壁石板との間に納骨室を形成し、後壁石板に納骨室に繋がる開口扉を設置すると共に、前記トンネル状に立設された石板の前端が前壁石板よりも前方に突出した前庇部を形成し、前記トンネル状に立設された石板の後端が後壁石板より後方に突出した後庇部を形成したことを特徴とする墓構造である。
【０００９】
このように、一対の側壁石板を左右方向に対向させて立設すると共に、一対の側壁石板の間に前壁石板と後壁石板とを前後方向に対向するように立設し、一対の側壁石板を連結するように上壁石板を形成して成り、又は、断面略逆Ｕ字状の石板をトンネル状に立設し、前記トンネル状に立設された石板の開口を塞ぐように前壁石板と後壁石板とを立設した構造であるから、安定性及び耐震性に優れている。
【００１０】
また、前壁石板と後壁石板との間に納骨室を形成し、後壁石板に納骨室に繋がる開口扉を設置しているから、遺骨の出し入れが容易であり作業性が良好である。
【００１１】
また、前壁石板よりも前方に突出した前庇部を形成しているから、前壁石板に掘り込まれた家名などに埃がたまり難く、防埃性に優れている。
【００１２】
また、後壁石板より後方に突出した後庇部を形成しているから、後壁石板に設置した納骨室に繋がる開口扉に対する雨水等の影響を軽減させることができ、耐久性を向上させることができる。
【考案の効果】
【００１３】
本考案は、上述のとおり、耐震性に優れ、遺骨の出し入れが容易であり作業性が良好であって、埃がたまり難く防埃性に優れている。
【考案を実施するための最良の形態】
【００１４】
以下、本考案を実施するための最良の形態を、実施例として示す各図と共に説明する。
【実施例】
【００１５】
図１ないし図６は本考案の実施例である。図１は、本考案である墓Ｈの斜視図であり、図２は墓Ｈの側面図であり、図３は墓Ｈの正面図であり、図４は墓Ｈの背面図であり、図５、６は墓Ｈの断面図である。
【００１６】
本考案の墓Ｈの主要部は、側壁を構成する一対の側壁石板１１、１２と、上壁を構成するアーチ形状の上壁石板１３と、前壁を構成する前壁石板２０と、前壁石板２０と同形状からなり後壁を構成する後壁石板３０からなる墓であって、一対の側壁石板１１、１２を左右方向に対向させて立設すると共に、一対の側壁石板１１、１２の間に前壁石板２０と後壁石板３０の両者を前後方向に対向するように立設し、さらに、一対の側壁石板１１、１２を連結するように上壁石板１３を形成して成り、前壁石板２０と後壁石板３０との間に納骨室４０を形成し、後壁石板３０に納骨室４０に繋がる開口扉３１を設置すると共に、上壁石板１３の前端が前壁石板２０よりも前方に突出した前庇部１４を形成し、上壁石板１３の後端が後壁石板３０より後前方に突出した後庇部１５を形成した墓構造である。
【００１７】
具体的には、断面略逆Ｕ字状からなり側壁と上壁を構成する石板（１１、１２、１３）と、前記断面略逆Ｕ字状の石板（１１、１２、１３）の内壁に沿う形状からなり前壁を構成する前壁石板２０と、前壁石板２０と同形状からなり後壁を構成する後壁石板３０からなる。
【００１８】
断面略逆Ｕ字状の石板（１１、１２、１３）は、側壁石板１１、１２と上壁石板１３とからなる。側壁石板１１、１２は左右一対であり、上壁石板１３は側壁石板１１、１２の上端を連結するようにアーチ状に形成される。この断面略逆Ｕ字状の石板（１１、１２、１３）は、上下を逆向きにした略U字に立設されており、トンネル状に立設される。
【００１９】
トンネル状に立設された状態の石板（１１、１２、１３）は、前後方向に開口を有することになるが、この開口を塞ぐように前壁石板２０と後壁石板３０とが立設される。前壁石板２０と後壁石板３０は、いずれも断面略逆Ｕ字状の石板（１１、１２、１３）の内壁に沿う形状で構成される。前壁石板２０と後壁石板３０は、いずれもトンネル状に立設された石板（１１、１２、１３）の下方（内部）に立設されるが、前壁石板２０はトンネル状に立設された石板（１１、１２、１３）の前端よりもやや内側に立設し、後壁石板３０もトンネル状に立設された石板（１１、１２、１３）の後端よりもやや内側に立設する。このような構造からなるので耐震性に優れる。
【００２０】
なお、前壁石板２０には、家名や家紋などを彫り込むための石板２１を設けている。また、前壁石板２０には、納骨室４０の換気を行うための換気口２２を設けている。また、後壁石板３０には、納骨室４０に繋がる開口扉３１を設けている。なお、前壁石板２０の前方には、花を立てるための花立水鉢５が設置される。
【００２１】
前壁石板２０と後壁石板３０とは所定の距離を隔てて立設され、前壁石板２０と後壁石板３０との間には納骨室４０が形成される。納骨室４０は、前壁石板２０、後壁石板３０、上壁石板１３、側壁石板１１、１２とで囲まれた空間である。納骨室４０には棚板４１が設けられ、棚板４１には骨壷４２が載置される。後壁石板３０には納骨室４０に繋がる開口扉３１を設置されており、開口扉３１を開けて骨壷４２の出し入れを行う。遺骨の出し入れが容易であり作業性が良好である。
【００２２】
トンネル状に立設された石板（１１、１２、１３）の前端は前壁石板２０よりも前方に突出し、前庇部１４を形成する。また、側壁石板１１、１２の前端も、前壁石板２０よりも前方に突出し、側方庇部１６、１７を形成する。前庇部１４と側方庇部１６、１７は連結しており一体的である。前庇部１４及び側方庇部１６、１７は、上方及び側方からの雨水や埃などの防御壁となる。
【００２３】
トンネル状に立設された石板（１１、１２、１３）の後端は後壁石板３０よりも後方に突出し、後庇部１５を形成する。また、側壁石板１１、１２の後端も、後壁石板３０よりも後方に突出し、側方庇部１８、１９を形成する。後庇部１５と側方庇部１８、１９は連結しており一体的である。後庇部１５及び側方庇部１８、１９は、上方及び側方からの雨水や埃などの防御壁となる。
【００２４】
なお、断面略逆Ｕ字状の石板（１１、１２、１３）の内部には補強用鉄筋６が埋設されている。また、断面略逆Ｕ字状の石板（１１、１２、１３）の内壁にはステンレス製の防水体板７が形成される。また、前壁石板２０、後壁石板３０の裏面（納骨室側）にもステンレス製の防水板体が形成されており、よって納骨室４０の内側は防水板体で囲われることになる。
【００２５】
また、実施例に係る墓Ｈは、高さ約１２０ｃｍ、左右幅約１００ｃｍ、下端の前後幅（奥行）８５ｃｍ、上端の前後幅１５０ｃｍである。
【図面の簡単な説明】
【００２６】
【図１】本考案の実施例の斜視図
【図２】本考案の実施例の側面図。
【図３】本考案の実施例の正面図
【図４】本考案の実施例の背面図。
【図５】本考案の実施例の断面図
【図６】本考案の実施例の断面図。
【符号の説明】
【００２７】
Ｈ  墓
１１  側壁石板
１２  側壁石板
１３  上壁石板
１４  前庇部
１５  後庇部
１６  側方庇部
１７  側方庇部
１８  側方庇部
１９  側方庇部
２０  前壁石板
２２  換気口
３０  後壁石板
３１  開口扉
４０  納骨室
４１  棚板
４２  骨壷
５  花立水鉢
６  鉄筋
７  防水板体
【図１】
0003121925.tif 000003
【図２】
0003121925.tif 000004
【図３】
0003121925.tif 000005
【図４】
0003121925.tif 000006
【図５】
0003121925.tif 000007
【図６】
0003121925.tif 000008